(57)【要約】【課題】  従来のカップホルダでは、回動部材が回動して容器の側面を押さえるため、容器の大きさや形状により、容器の側面に当接する回動部材と当接部との高さが異なり、安定して開栓できるものとは言えなかった。【解決手段】  本発明は、容器の側面の少なくとも一部を押さえる押さえ部と、容器の底面を支える底部と、回転中心となる軸部と、底部と軸部との間をつないで延設する延設部とを有し、容器を下方に移動することによって軸部を中心に回動する容器支持部と、容器を挟んで押さえ部と対向し、容器の側面に向けて直進移動する可動部と、容器支持部の回動によって可動部が直進移動するように変換する変換部とを設けたカップホルダを備えたものである。カップホルダに容器を収納し、容器を下方に押すことによって容器支持部が回動して、この回動が変換部を介して可動部を直進移動させて、押さえ部と可動部とによって容器を挟持し、容器の回転を規制したものである。【選択図】  図３
2010162928.tif 000002
【特許請求の範囲】
【請求項１】
容器を収納するカップホルダにおいて、
前記容器の側面の少なくとも一部を押さえる押さえ部と、
前記容器の底面を支える底部と、回転中心となる軸部と、前記底部と前記軸部との間をつないで延設する延設部とを有し、前記容器を下方に移動することによって前記軸部を中心に回動する容器支持部と、
前記容器を挟んで前記押さえ部と対向し、前記容器の側面に向けて直進移動する可動部と、
前記容器支持部の回動を前記可動部の直進移動に変換する変換部とを備え、
前記容器を下方に押すことによって前記容器支持部が回動し、前記容器支持部の回動が前記変換部を介して前記可動部を直進移動させ、前記押さえ部と前記可動部とによって前記容器を挟持し、前記容器の回転を規制することを特徴とするカップホルダ。
【請求項２】
前記変換部は、一端を前記可動部に取り付け、他端を回動する前記容器支持部に当接し、前記容器支持部の回動によって、前記可動部を直進移動させることを特徴とする請求項1に記載のカップホルダ。
【請求項３】
前記変換部は、前記一端を前記可動部に回動するように軸支し、前記他端を前記容器支持部の溝部内に摺動するように嵌合することを特徴とする請求項2に記載のカップホルダ。
【請求項４】
前記変換部は、前記一端を前記可動部に取り付け、前記他端を前記軸部近傍で前記容器支持部に当接することを特徴とする請求項2に記載のカップホルダ。
【請求項５】
前記押さえ部と前記可動部とによって、前記容器の側面の全周を囲うことを特徴とする請求項1〜4のいずれか1項に記載のカップホルダ。
【請求項６】
前記押さえ部は、前記可動部の直進方向と反対方向に、前記可動部を付勢させる弾性体を設けることを特徴とする請求項1〜5のいずれか1項に記載のカップホルダ。
【請求項７】
前記可動部は、前記押さえ部側へ直進移動することによって、前記押さえ部と前記容器支持部と前記変換部とともに、車両に取り付けられた内装部材の凹設した穴部に収納することを特徴とする請求項1〜6のいずれか1項に記載のカップホルダ。
【発明の詳細な説明】
【技術分野】
【０００１】
この発明は、ペットボトル等の容器を保持するカップホルダに関する。
【背景技術】
【０００２】
カップホルダは、特許文献１に記載する通り、飲料容器を下方に移動させることによって、飲料容器の側面に向けて回動する回動部材と、回動部材に対して容器を挟んで対向する当接部とによって容器の側面を挟持し、容器の回転を規制して開栓するものが開示されている。
【０００３】
【特許文献１】特開2005-81925号公報
【発明の開示】
【発明が解決しようとする課題】
【０００４】
しかし、かかる従来のカップホルダでは、回動部材が回動して容器の側面を押さえるため、容器の大きさや形状により、容器の側面に当接する回動部材と当接部との高さが異なり、安定して開栓できるものとは言えなかった。
【課題を解決するための手段】
【０００５】
上記問題点を解決するために、本発明は、容器の側面の少なくとも一部を押さえる押さえ部と、容器の底面を支える底部と、回転中心となる軸部と、底部と軸部との間をつないで延設する延設部とを有し、容器を下方に移動することによって軸部を中心に回動する容器支持部と、容器を挟んで押さえ部と対向し、容器の側面に向けて直進移動する可動部と、容器支持部の回動によって可動部が直進移動するように変換する変換部とを設けたカップホルダを備えたものである。カップホルダに容器を収納し、容器を下方に押すことによって容器支持部が回動して、この回動が変換部を介して可動部を直進移動させて、押さえ部と可動部とによって容器を挟持し、容器の回転を規制したものである。
【発明の効果】
【０００６】
本発明によれば、押さえ部と容器支持部と変換部と可動部とで構成されるカップホルダを備え、可動部が容器に向けて直進移動し、押さえ部と可動部とによって容器の側面を同じ高さで挟持するため、様々な容器を一定の高さで保持し、安定して開栓することができる。
【発明を実施するための最良の形態】
【０００７】
（実施例1）
以下、本発明の第1の実施例を図面と共に説明する。
第1の実施例におけるカップホルダ100の構成を説明する。
第1の実施例におけるカップホルダ100は、押さえ部としての保持部110と、可動部としてのスライド部120と、変換部としてのリンク部130と、容器支持部である底部としての底面支え部141と軸部としてのヒンジ部142と延設部としてのレバー部143で構成されている。
【０００８】
保持部110は、図1〜図5に示す通り、インストルメントパネル150に水平に組み付けられている。保持部110は、車両上面視において、車幅方向で互いに離間し、車両後方に向けて突出する一対の保持側突出部111を形成している。また、保持側突出部111は、図5に示す通り、車両上下方向に互いに離間する保持部上面112と保持部下面113と、これらの保持部上面112と保持部下面113の車幅方向の外方側をつなぐ保持部外方側面114と、内方側をつなぐ保持部内方側面115で形成されている。また、保持側突出部111には、保持部上面112と保持部下面113と保持部外方側面114と保持部内方側面115とによって囲まれた保持部内空間117が形成されている。さらに、保持部下面113の保持部内空間117側には下方に向けて凹設した凹部116が延在している。
【０００９】
スライド部120は、車両上面視において、容器160を挟んで保持部110に対向するように設けられている。そして、スライド部120は、車幅方向の両側部に、車幅方向で互いに離間し、インストルメントパネル150側、つまり車両前方に向けて突出する一対のスライド側突出部121を保持側突出部111に対応させて形成している。これらのスライド側突出部121のスライド部下面122には、それぞれ車両前後方向に延在し、下方に突出する凸部125が形成され、保持側突出部111の凹部116に対して摺動するように嵌合している。凹部116および凸部125は車両前後方向に直線状に形成されているため、スライド部120は、保持部110の凹部116に沿って、保持部内空間117内を保持部110側に直進移動することができる。また、保持部内空間117内には、スライド部120のスライド側突出部121の前端に当接するように弾性体としての第1弾性体170が配されている。第1弾生体170は、スライド部120の車両前方、つまり保持部110側への直進方向と反対方向に、弾性力によってスライド部120を付勢する。
【００１０】
保持部110とスライド部120とは、上面視において、略六角形の開口175を形成し、容器160をこの開口175に挿入し、収納している。また、この開口175は、略同じ高さで容器160の側面全周を囲っている。さらに、保持部110およびスライド部120には、撥水性があり、容器160の側面に当接することで容器160の側面を押さえる第2弾性体171が容器160の側面を挟んで対向するように複数設けられている。
【００１１】
底面支え部141は、車幅方向に延在する略矩形で形成されており、容器160の底面を支えている。レバー部143のレバー部一端部146は底面支え部141に固定され、レバー部他端部147は保持部110の保持部外方側面114にヒンジ部142を介して組み付けられている。また、レバー部143は、レバー部一端部146からレバー部他端部147に向けて車両前方かつ上方に傾斜して延設している。尚、レバー部他端部147は、ヒンジ部142を回転中心として、回動するように軸支されている。さらに、レバー部143には、溝部としてのスリット145が設けられている。スリット145は、レバー部143の略中央部に長手方向に延在して形成されている。尚、ヒンジ部142には、レバー部143を時計回りに付勢する第3弾性体144が設けられている。
【００１２】
リンク部130は、スライド部120とレバー部143との間を連結している。リンク部130は、一端としてのリンク一端部131をスライド部120のスライド部側面123に回動するように軸支され、他端としてのリンク他端部132をレバー部143のスリット145内に摺動するように嵌合させている。ヒンジ部142からリンク他端部132までの間にリンク他端部132が嵌合されているため、容器160に加えた下方向の力を増幅させてリンク部130に伝え、リンク部130がレバー部143の回動をスライド部120の直進移動に変換することができる。
【００１３】
また、リンク部130は、リンク一端部131からリンク他端部132に向けて、車両前方に向けて下方に傾斜して延設している。
【００１４】
また、スライド部120は、インストルメントパネル150側に直進移動させることによって、図2に示す通り、インストルメントパネル150に凹設した穴部としてのカップホルダ収納部151に、レバー部143が時計回りに回動して保持部110およびスライド部120に対して略平行となった状態で、保持部110とレバー部143と底面支え部141とリンク部130とともに収納される。
【００１５】
第1の実施例におけるカップホルダ100の動作を説明する。
インストルメントパネル150のカップホルダ収納部151に収納されているカップホルダ100のスライド部120が車両後方、つまり車室内側に引き出されることによって、レバー部143がヒンジ部142を中心として回動し、容器160を収納可能な状態にする。
【００１６】
容器160は、保持部110とスライド部120で形成された開口175に挿入され、底面支え部141の上に置かれる。
【００１７】
この状態において、容器160を開栓したい場合には、容器160を下方に押すことによって、底面支え部141およびレバー部143がヒンジ部142を回転中心として反時計回り、つまりインストルメントパネル150側に向かって回動する。リンク部130のリンク他端部132がレバー部143のスリット145内に摺動するように嵌合され、リンク部一端部131が回動するように設けられているため、レバー部143の回動に連動して、リンク部130のリンク他端部132が下方かつインストルメントパネル150側に引っ張られる。リンク部130のリンク他端部132が引っ張られることによって、リンク一端部131がスライド部120に軸支されているため、リンク部130がレバー部143の回動をスライド部120の直進移動に変換し、スライド部120をインストルメントパネル150側に引っ張る。この際、リンク部130とレバー部143が略垂直となるように交差する。リンク他端部132がヒンジ部142とレバー部一端部146の間に嵌合されているため、つまり、ヒンジ部142からレバー部一端部146までの距離が、ヒンジ部142からリンク他端部132までの距離よりも長くなっているため、容器160に加えた下方向の力を増幅させてリンク部130に伝え、リンク部130がレバー部143の回動をスライド部120の直進移動に変換することができる。
【００１８】
スライド部120は、スライド部120の凸部125を保持部110の凹部116に沿わせて、保持部内空間117内を保持部110および容器160の側面に向けて直進移動することによって、スライド部120と保持部110とによって形成する開口175を縮小させていく。開口175が縮小して、保持部110およびスライド部120が、略同じ高さで容器160の側面に当接し、挟持する。開口175には第2弾性体171が設けられているため、容器160の側面全周を確実に押さえ、容器160の回転を効果的に抑制することができる。
【００１９】
容器160を下方に押すことを止めると、第1弾性体170が、スライド部120を保持部110側への直進方向と反対方向に付勢するため、容器160の側面を挟持した状態を開放する。
【００２０】
また、カップホルダ100をインストルメントパネル150のカップホルダ収納部151に収納する場合には、ヒンジ部142にレバー部143を時計回りに付勢する第3弾性体144が設けられているため、レバー部143を保持部110およびスライド部220に対して略平行となるように助力を与えることができ、カップホルダ100を容易に収納することができる。
【００２１】
（実施例2）
以下、本発明の第2の実施例を図面と共に説明する。
第2の実施例におけるカップホルダ200の構成を説明する。
カップホルダ200は、第1の実施例と同様な部分については説明を省略し、第1の実施例と異なる部分のみの説明を行う。
【００２２】
第2の実施例におけるカップホルダ200は、押さえ部としての保持部210と、可動部としてのスライド部220と、変換部としてのピン部235と、容器支持部である底部としての底面支え部241と軸部としてのヒンジ部242と延設部としてのレバー部243で構成されている。
【００２３】
保持部210の保持部外方側面214には、図6,7に示す通り、車両前後方向に延設する保持側穴部216が設けられている。
【００２４】
スライド部220のスライド部側面223には、それぞれ車幅方向外方側にピン部235が設けられている。ピン部235は、一端としてのピン一端部236をヒンジ部242近傍でスライド部側面223に取り付け、保持部210の保持側穴部216を挿通し、他端としてのピン他端部237を回動するレバー部243のレバー部他端部247近傍に当接するように設けている。ピン部235は、底面支え部241のヒンジ部242の近傍に設けられ、このヒンジ部242近傍でレバー部243と当接するため、底面支え部241が回動する力を実施例1よりもピン部235に増幅させて伝えることができる。
【００２５】
第2の実施例におけるカップホルダ200の動作を説明する。
容器160を下方に押すことによって、底面支え部241が回動し、この回動により、底面支え部241のレバー部243がピン部235のピン他端部237に当接する。さらに、底面支え部241が回動すると、ピン他端部237がインストルメントパネル250側に押されるため、ピン部235は、保持部210の保持側穴部216に沿って、インストルメントパネル250側に移動する。ピン部235のピン一端部236がスライド部220に取り付けられているため、ピン部235とともにスライド部220が移動する。ピン部235は、スライド部220に取り付けられているため、スライド部220をインストルメントパネル250側、つまり容器160の側面に向けて移動させる。
【００２６】
また、ピン部235は、底面支え部241のヒンジ部242の近傍に設けられ、このヒンジ部242近傍でレバー部243と当接するため、底面支え部241が回動する力をより増幅させて、ピン部235を介して、スライド部220の直進移動に変換することで、容器160を挟持する力を大きくすることができる。
【００２７】
スライド部220の直進移動から容器160を開栓するまでの動作については、実施例1と同様のため、省略する。
【００２８】
次に本発明における作用効果について説明する。
【００２９】
リンク部130およびピン部235は、一端をスライド部120に取り付け、他端を回動するレバー部143に当接し、スライド部120を直進移動させるため、簡易な構造で、容器160の側面を挟持し、開栓を行うことができる。
【００３０】
リンク部130は、リンク端部131がスライド部120に回動するように軸支され、リンク他端部132がレバー部143のスリット145内に摺動するように嵌合されているため、レバー部143の回動とともに、確実に連動して作動させることができる。
【００３１】
ピン部235は、一端がスライド部220に取り付けられ、他端がヒンジ部242近傍で底面支え部241に当接しているため、容器160にかかる下方への力をピン部235により増幅させて、スライド部220の直進移動に変換でき、開栓を容易に行うことができる。
【００３２】
保持部110とスライド部120とによって、容器160の全周を囲うため、容器160の転倒を抑制し、容器160を安定して収納することができる。
【００３３】
スライド部120の直進方向と反対方向に、スライド部120を移動させる第1弾性体170を設けているため、容器160を開栓し、容器160を下方に押すことを止めた場合には、この第1弾性体170によりスライド部120が初期の位置に戻り、容器160の出し入れをスムーズに行うことができる。
【００３４】
スライド部120が、保持部110側へ直進移動することによってカップホルダ収納部151に収納できるため、車室内の空間を有効利用することができる。
【００３５】
尚、本発明の実施形態は上記のものに限らず、他の種々の態様を採用できるものであり、例えば、第１の実施形態と第２の実施形態を組み合わせたものであってもよい。また、開口175は六角形に限らず、三角形や四角形などの多角形、あるいは円形であってもよい。
【図面の簡単な説明】
【００３６】
【図１】第1の実施形態におけるカップホルダの容器収納状態を示す斜視図。
【図２】第1の実施形態におけるカップホルダのインストルメントパネル収納状態を示す車両側面図。
【図３】第1の実施形態におけるカップホルダの容器収納状態を示す車両側面図。
【図４】第1の実施形態におけるカップホルダの容器収納状態を示す車両上面図。
【図５】第1の実施形態における図4のＩ-Ｉ断面でのカップホルダの保持部とスライド部の嵌合を示す車両前面図。
【図６】第2の実施形態におけるカップホルダの容器収納状態を示す車両側面図。
【図７】第2の実施形態における図6のＩＩ-ＩＩ断面でのカップホルダの保持部とスライド部の嵌合を示す車両後面図。
【符号の説明】
【００３７】
カップホルダ  100
保持部  110
スライド部  120
リンク部  130
底面支え部141
ヒンジ部142
レバー部143
インストルメントパネル150
カップホルダ収納部151
容器  160
第1弾性体170
ピン部  235
【図１】
2010162928.tif 000003
【図２】
2010162928.tif 000004
【図３】
2010162928.tif 000005
【図４】
2010162928.tif 000006
【図５】
2010162928.tif 000007
【図６】
2010162928.tif 000008
【図７】
2010162928.tif 000009